(57)【特許請求の範囲】
【請求項１】
ピラミッド状容量の広告スペースに関連する広告モデルを促進する、計算機で実行されるシステムであって、
少なくとも２つの実質的に並行なビュープレーンを用いて計算機表示可能な多重スケール画像を表現するデータを有するデータ構造であって、第１のビュープレーン及び第２のビュープレーンが、拡大縮小レベルに基づいて二者択一的に表示可能であり、かつピラミッド状容量によって関連付けられていて、前記計算機表示可能な多重スケール画像が、前記ピラミッド状容量の最上位ビュープレーンの画素を含んでおり、第１のビュープレーンより多数の画素を第２のビュープレーンに含み、前記第２のビュープレーンが、前記第１のビュープレーンより高レベルの倍率で前記計算機表示可能な多重スケール画像を表示し、前記第２のビュープレーンが更に、前記第１のビュープレーンに存在しない広告コンテンツを表示することを特徴とするものと、
前記画素に関連する販売用広告権を提供する広告コンポーネントと、
少なくとも文脈入力に基づいて、ブラウザで見るための前記データ構造を含む画像データを動的に構築する生成コンポーネントと、
を含むシステム。
【請求項２】
前記広告権が、前記画素の購入、前記画素の賃貸、前記画素を第三者に販売又は賃貸するための権利、前記画素のＲＧＢ特性、前記画素に関連したハイパーリンク、前記画素に関連した注釈、前記画素に関連したメタデータのうち、少なくとも１つを含むことを特徴とする請求項１記載のシステム。
【請求項３】
前記画素が、前記第１のビュープレーンに存在していて、前記広告権が、前記画素から投影される前記ピラミッド状容量に含まれている前記第２のビュープレーンの複数の画素に対し実質的に同様の権利を含むことを特徴とする請求項１記載のシステム。
【請求項４】
前記広告権が、より下位の拡大縮小レベルにおける画素の一部又はすべてに対し実質的に同様の権利を含んでいて、前記ピラミッド状容量に含まれていることを特徴とする請求項１記載のシステム。
【請求項５】
前記広告コンポーネントが、より下位の拡大縮小レベルにおいて詳細に見ることができて、より上位の拡大縮小レベルにおいて単一の画素として見ることができる広告コンテンツに対する広告スペースの販売を促進することを特徴とする請求項１記載のシステム。
【請求項６】
前記広告コンポーネントが、映像広告コンテンツを容易にするための、１つ以上の画素ブロックの前記少なくともＲＧＢ特性を時間とともに変更する連続した画素ブロックを含む広告スペースの販売を促進することを特徴とする請求項１記載のシステム。
【請求項７】
前記第２のビュープレーンが、異なるスケールにおいて前記第１のビュープレーンの一部を表示することを特徴とする請求項１記載のシステム。
【請求項８】
前記第２のビュープレーンが、前記第１のビュープレーンに図的にも視覚的にも関係ない広告コンテンツを表示することを特徴とする請求項１記載のシステム。
【請求項９】
更に、前記拡大縮小レベルにおける隣接した画素値に基づいて前記画素値を決定する区分化コンポーネントを含む請求項１記載のシステム。
【請求項１０】
前記広告コンポーネントが、画素ごとのコスト収入モデル、注目ごとのコスト収入モデル、又はクリックスルー収入モデルのうち、少なくとも１つに従って前記広告権を提供することを特徴とする請求項１記載のシステム。
【請求項１１】
前記画像が、ウェブページ上に実在している広告であることを特徴とする請求項１記載のシステム。
【請求項１２】
前記文脈入力が、検索文字列に基づいていることを特徴とする請求項１記載のシステム。
【請求項１３】
前記文脈入力が、検索結果に基づいていることを特徴とする請求項１記載のシステム。
【請求項１４】
広告モデルに関連するピラミッド状容量の広告スペースを使用するための、計算機で実行される方法であって、
少なくとも２つの実質的に並行なビュープレーンを用いて計算機表示可能な画像を定義する画像データを有するデータ構造を動的に生成するステップであって、第１のビュープレーン及び第２のビュープレーンが、拡大縮小レベルに基づいて二者択一的に表示可能であり、かつピラミッド状容量によって関連付けられていて、前記画像データが、前記ピラミッド状容量の最上位ビュープレーンの画素を含み、前記第２のビュープレーンが、前記第１のビュープレーンより高レベルの倍率で前記計算機表示可能な多重スケール画像を表示し、前記第２のビュープレーンが更に、前記第１のビュープレーンに存在しない広告コンテンツを表示することを特徴とするものと、
前記拡大縮小レベルにおける隣接した画素値に基づいて画素値を決定するステップと、
前記画素値の画素に関連して販売用広告権を提供するステップと、を含む方法。
【請求項１５】
更に、
前記画素の購入、前記画素の賃貸、前記画素を第三者に販売又は賃貸する権利、前記画素のＲＧＢ特性、前記画素に関連したハイパーリンク、前記画素に関連した注釈、前記画素と関連したメタデータのうち、少なくとも１つを含む販売用広告権を提供するステップと、
より下位の拡大縮小レベルにおいて前記ピラミッド状容量に含まれている画素すべて又は一部に対する販売用広告権を提供するステップと、
より下位の拡大縮小レベルにおいて細部を見ることができて、より上位の拡大縮小レベルにおいて単一の画素として見ることができる広告コンテンツに対する販売用広告スペースを提供するステップと、
映像広告コンテンツ用の連続した画素ブロックを販売用に提供するステップと、
画素ごとの広告コストモデル、注目ごとの広告コストモデル、又はクリックスルー広告モデルのうち、少なくとも１つに基づいて販売用広告権を提供するステップと、のうち少なくとも１つを含む請求項１４記載の方法。
【請求項１６】
更に、
文脈入力に基づいて前記画像データを動的に生成するステップ、
検索文字列に基づいて前記画像データを動的に生成するステップ、
検索結果に基づいて前記画像データを動的に生成するステップ、のうち少なくとも１つを含む請求項１４記載の方法。
【請求項１７】
ピラミッド状容量の広告スペースに関連する広告モデルを使用するための、計算機で実行されるシステムであって、
画像データを収集するためのデータ構造を動的に構築し、少なくとも２つの実質的に並行なビュープレーンを用いて計算機表示可能な画像を定義している画像データを前記データ構造にセーブするための構成コンポーネントであって、第１のビュープレーン及び前記第１のビュープレーンより高レベルの倍率を有する第２のビュープレーンが、拡大縮小レベルに基づいて二者択一的に表示可能であり、かつピラミッド状容量によって関連付けられていて、前記計算機表示可能な画像が、前記ピラミッド状容量の最上位ビュープレーンの画素を含み、前記第１のビュープレーンには存在しない付加的な画像データを前記第２のビュープレーンに提供されているものと、
前記画素に関連して販売用広告権を提供するための広告コンポーネントと、を含むシステム。
【発明の詳細な説明】
【技術分野】
【０００１】
本発明はウェブページコンテンツに関し、具体的には販売用広告ウェブページコンテンツアーキテクチャに関する。
【背景技術】
【０００２】
従来、ウェブページ又はウェブページに含まれている広告コンテンツのようなウェブベース広告スペースは、画像又はその他の固定した空間スケールの視覚的コンポーネントから構成されている。一般に、固定した空間スケールは、ビューイングアプリケーションに割り当てられる出力表示画面の解像度、及び／又は実領域（real estate）画面の大きさ、例えばユーザーに対し表示される画面上のブラウザーの大きさに関連した設定に基づいている。
【０００３】
ハードウェアディスプレイに関連した有限の実領域画面に加えて更に、広告主は、多くの場合、広告が大部分のウェブサイト又はページにとって二次コンテンツにすぎないという状況によって制限されている。したがって、広告スペースは、一般に、小さな実領域画面の区画に追いやられ、通常、ウェブページの上部又はサイドパネルに沿って配置される。広告主の多くは、限定された実領域画面でもユーザーの注目を引き付けるための賢明な方法を創造しているが、実際の取引−広告主の第一の目標−が、通常、ユーザーに提供されるべきはるかに大きな情報量を必要とするのに対し、従来の広告方法の有限な表示スペースによって供給され得る情報量には、有理な限界がある。
【０００４】
したがって、ウェブベース広告形式のほとんどは、クリックスルー広告モデル又は機構に排他的に依存していて、固定した空間のスケール画像が、見込み客に広告のクリックを促すように使用されていて、それによって見込み客は、その後、ハイパーリンクを介し、より大規模な量の広告に関する情報にルーティングされ得る。
【発明の概要】
【発明が解決しようとする課題】
【０００５】
本発明の目的は、ピラミッド状容量広告スペースに関連する広告モデルを促進し得るアーキテクチャを提供することである。
【課題を解決するための手段】
【０００６】
以下は、本発明の態様いくつかの基本的な理解を提供するための本発明の簡易化された概要を提示している。この概要は、本発明の広範囲に及ぶ概要ではない。本発明の主要又は重要な要素を特定することも本発明の範囲を詳細に説明することも意図されていない。唯一の目的は、後に提示する更に詳細な説明に対する前置きとして簡易形式の本発明の概念のいくつかを提示することである。
【０００７】
本明細書に開示された発明は、その一態様において、ピラミッド状容量広告スペースに関連する広告モデルを拡大又は促進し得るアーキテクチャを含む。前記及び関連するその他の結論に従って、本アーキテクチャは、ピラミッド状容量広告スペースを含む多重スケール画像用の画像データを用いたデータ構造を含み得る。かくして表示される画像は、実質的に並行であって、拡大縮小（ズーム：zoom）レベルに基づいて二者択一的に表示可能である複数の表示レイヤ又は表示プレーン（ビュープレーン）を含み得る。例えば、１つのビュープレーンにおける特定の画素の拡大縮小が、より下位のビュープレーンに対し現実的な途切れのない遷移を提供し得、画素それぞれが、より下位の次のビュープレーン内の４つの画素との関連を生成するためのピラミッド状容量に投影し得る。
【０００８】
本アーキテクチャは更に、所与の画素に関連した販売用広告権を提供し得る。広告権は、画素を購入若しくは賃貸する権利又は画素を第三者に販売若しくは賃貸する権利を含み得る。更に、広告権は、画素に対するＲＧＢ特性、ハイパーリンク、注釈、メタデータなどに関連する権利を含み得る。１つの態様において、第１の画素に関連した広告権が、いつでも第１の画素から次の拡大縮小レベルに投影することによって生成されるピラミッド状容量内の別の複数の画素へ拡大され得る。ピラミッド状容量における画素に関連した権利は、第１の画素、サブセットに対する権利と同一か又は一緒の追加的な権利をすべて含み得る。
【０００９】
別の態様において、本アーキテクチャは、区分化（ゾーニング：zoning）概念に基づいた販売用広告権を提供し得る。例えば、画素が、コンテンツのタイプ又は品質に基づいて順序付けられるか、又は価格設定率（pricing rate）がローカル「実領域」の推論値に基づいて決定され得る。例えば、非常に人気のあるコンテンツの近くに現れる画素は、人気のない画素のそれよりもより高く価格付けられ得る。別の態様において、データ構造に含まれている画像データが、今日のウェブページの広告コンテンツを動的に選択し投入する機構と一緒でない異なる方法で動的に生成され得る。例えば、画像データは、検索文字列、検索結果、ユーザープロファイル、広告主のプロファイルその他のような文脈入力に基づいて動的に生成され得る。
【００１０】
以下の説明及び添付図面は、本発明の例示的な態様のいくつかを詳細に説明している。これらの態様は、本発明の原理が使用され得るほんのいくつかの様々な方法を示しているが、本発明が、そのような態様及びそれらの同等物すべてを含むように意図されている。本発明のその他の利点及び際立った特徴が、以下の本発明の詳細な説明から図面に関連して考慮されるとき明らかになるだろう。
【図面の簡単な説明】
【００１１】
【図１】ピラミッド状容量広告スペースに関連する広告モデルを促進し得るシステムブロック図を例示する。
【図２】画像データ（１０４）及び／又はデータ構造（１０２）の概念的な理解を促進するために提供される画像例（１０６）のブロック図を示す。
【図３】画素に対する広告権に関連し、スペース容量に関連した複数の広告モデルを促進し得るシステムブロック図である。
【図４】画像（１０６）が、ウェブページ上で実質的に見ることができるコンテンツすべてを包含する場合を例示しているコンテンツの表示例のブロック図を示す。
【図５】ウェブページの一部として画像（１０６）を例示するコンテンツの表示例のブロック図である。
【図６】様々な推論を用いて支援し得る計算機に実装されるシステムのブロック図を例示する。
【図７】画像データ（１０４）に基づいて画像（１０６）の表示を増進又は促進し得る計算機に実装されるシステムブロック図を示す。
【図８】広告モデルに関するピラミッド状容量広告スペースを使用するための計算機に実装される方法を定義する例示的な手順の流れ図である。
【図９】画素に対する広告権を提供するための計算機に実装される方法を定義する例示的な手順の流れ図を示す。
【図１０】ピラミッド状容量に関連する区分化概念及び動的な構築概念を含むための計算機に実装される方法を定義する例示的な手順の流れ図を示す。
【図１１】開示したアーキテクチャを実行するために作動可能な計算機のブロック図を例示する。
【図１２】例示的な計算環境の概略ブロック図を例示する。
【発明を実施するための形態】
【００１２】
ここで本発明を同様の参照番号が同様の要素すべてを参照するように使用されている図面を参照し説明する。以下の記述においては、説明のために特定の多くの詳細を本発明の完全な理解を与えるために詳しく説明する。しかしながら、これらの特定の詳細を用いずに本発明が実施されることは明白であり得る。別の例において、周知の構造及び装置を本発明の説明を促進するためにブロック図形式で示す。
【００１３】
本出願において使用される用語「コンポーネント」、「モジュール」、「システム」又はその他は、計算機に関連するエンティティ、ハードウェア、ハードウェア及びソフトウェアの組み合わせ、ソフトウェア又は実行中のソフトウェアのいずれかを参照し得る。例えばコンポーネントは、プロセッサー上で実行中のプロセス、プロセッサー、オブジェクト、実行可能な実行スレッド、プログラム及び／又は計算機があり得るがこれらに限定しない。コントローラー上で実行中のアプリケーション及びコントローラー双方は、例示によるコンポーネントであり得る。１つ以上のコンポーネントが、プロセス内に常駐し得、実行スレッド及びコンポーネントが、１つの計算機において局所化され得及び／又は２つ以上の計算機の間に流通され得る。
【００１４】
更に、本発明は、標準プログラミング及び／又はエンジニアリング技法を使用する方法、装置又は製品として実装され得、開示した対象事項を実装するための計算機を制御するソフトウェア、ファームウェア、ハードウェア又はその任意の組み合わせを生成する。本明細書において使用される用語「製品」は、任意の計算機可読装置、搬送波、又は媒体からアクセス可能な計算機プログラムを包含するように意図されている。例えば、計算機可読媒体は、磁気記憶装置（例えばハードディスク、フロッピー（登録商標）ディスク、磁気ストリップ．．．）、光ディスク（例えばコンパクトディスク（ＣＤ）、デジタル多用途ディスク（ＤＶＤ）．．．）、スマートカード及びフラッシュメモリー装置（例えばカード、スティック、キードライブ．．．）含み得るがこれらに限定しない。更に、搬送波は、電子メール送信及び受信時、又はインターネット若しくはローカルエリアネットワーク（ＬＡＮ）のようなネットワークアクセス時に使用される計算機が可読な電子データを運ぶために使用され得ることが十分に理解されよう。当然のこととして当業者は、この構成に対し、多くの修正が本発明の範囲又は趣旨から逸脱せずに実行され得ることを認めよう。
【００１５】
更に、語句「例示的」は、本明細書において、例、実例、又は図として機能することを意味するように使用されている。本明細書において「例示的」として記載されている任意の機能又は設計が、必ずしも別の機能又は設計上の好ましいもの若しくは有利なものとして理解される必要はない。もっと正確に言えば、例示的語句の使用は、具体的な方法によって概念を提示するように意図されている。本出願において使用されている用語「又は」は、排他的な「又は」というよりもむしろ包括的な「又は」を意味するように意図されている。すなわち、文脈から他のものが指定されていないか又は明確でない場合、「Ｘは、Ａ又はＢを使用する」は、自然で包括的な任意の順列を意味するように意図されている。すなわち、ＸはＡを使用する、ＸはＢを使用する、又はＸはＡ及びＢ双方を使用する場合、「ＸはＡ又はＢを使用する」が、上記実例のいずれかの下で満たされる。更に、本出願及び添付請求項において使用されている冠詞「ａ」及び「ａｎ」が、単一形式に方向付けられる文脈から他のものが指定されていないか又は明確でない場合、一般に「１つ以上」を意味するように解釈されたい。
【００１６】
本明細書において使用されている用語「推論する」又は「推論」は、一般に、システム、環境、及び／又は、事象及び／又はデータを介し獲得された観測セットが提供するユーザーの状態に対する推理法、又は推論するプロセスを参照している。推論は、例えば、特定の文脈、又は動作を特定するために使用され得る確率分布、又は状態上の確率分布を生成し得る。推論は、確率的―すなわちデータ及び事象の結果に基づいた対象となる状態における確率分布計算―であり得る。推論は、事象及び／又はデータセットが提供する、より高水準の事象を構成するために使用される技法を参照し得る。そのような推論は、事象が一時的に密接に相関するか否かに関係なく、事象及びデータが、１つ又はいくつかの事象及びデータソースから着信されるか否かに関係なく、観測された事象及び／又はストアされた事象のデータセットから新しい事象の構造若しくは動作をもたらす。
【００１７】
本発明が、表示エンジン、ブラウジングエンジン、コンテンツ集積実行部、及び／又は適切なその任意の組み合わせの少なくとも１つを用いて利用され得ることを理解されよう。「表示エンジン」は、多重スケール、解像度、及び／又は詳細レベルにおいて、環境内のコンテンツの途切れのないパン撮り（パニング）及び／又は拡大縮小を可能にするリソース又はコンポーネント（例えばハードウェア、ソフトウェア、及び／又はその任意の組み合わせ）を参照し得、細部は、固有情報を運ぶ特定のオブジェクト又は特性に捧げられる多くの画素と関連し得る。それに従って用語「解像度」は、一般に、実質的に詳細レベルと同様であって、表示される画像のオブジェクト、細部、又は特性に割り当てられる画素数、及び／又は固有の論理画像データを使用し表示される画素数を意味するように意図されている。かくして、同一量の画像データに対し、単により多いか又は少ない画素を割り当てる従来の解像度の変更形式とは容易に区別され得る。更に、表示エンジンは、透視図からの縮小表示に基づいて環境内のスペース容量を生成し得るか又は透視図からの拡大表示に基づいて環境内のスペース容量を減らし得る。更に、「ブラウジングエンジン」は、環境に関連したデータに対する様々な解像度による多重スケールの途切れのないパニング及び／又は拡大縮小を使用するリソース又はコンポーネント（例えば、ハードウェア、ソフトウェア、及び／又は適切なその任意の組み合わせ）を参照し得、環境は、インターネット、ネットワーク、サーバー、ウェブサイト、ウェブページ、及び／又はインターネットの一部（例えば、データ、音声、映像、テキスト、画像など）の少なくとも１つである。更に、「コンテンツ集積実行部」は、（例えば、メディアデータ、画像、映像、写真、メタデータなどの）二次元データを収集し得、（例えば、そのようなコンテンツ及び収集されたコンテンツの見え方それぞれをブラウジング、ビューイング、及び／又はローミング）調査され得る三次元（３Ｄ）仮想環境を生成する。
【００１８】
ここで図面を参照し最初に図１を参照すると、ピラミッド状容量広告スペースに関連する広告モデルを促進し得る計算機に実装されるシステム（１００）が示されている。一般に、システム（１００）は、計算機表示可能な多重スケール画像（１０６）を表現、定義、及び／又は特徴付け得る画像データ（１０４）を用いたデータ構造（１０２）を含み得る。具体的には、画像（１０４）は、実質的に並行な２つ以上のビュープレーン（例えば、レイヤ）を含み得、画像データ（１０４）のデータ構造（１０２）で符号化され、二者択一的に表示可能にされ得る。例えば、画像（１０６）が、第１のプレーン（１０８）及び第２のプレーン（１１０）並びに仮想的な任意の数の追加的なビュープレーンを含み得、そのいくつかが拡大縮小レベル（１１２）に基づいて表示され及び／又は見られ得る。例えば、プレーン（１０８）、（１１０）はそれぞれ、上部表面において直交方式で見ることができる広告コンテンツ含む。第１のプレーン（１０８）が、より上位の拡大縮小レベル（１１２）で見られ得ると同時に、第２のプレーン（１１０）の少なくとも一部が、より下位の拡大縮小レベル（１１２）において出力装置上に既に見えているものを置換し得る。
【００１９】
更に、プレーン（１０８）、（１１０）その他が、ピラミッド状容量（１１４）によって関連付けられ得、例えば、第１のプレーン（１０８）内の所与の画素が、第２のプレーン（１１０）の４つの特定の画素に関連付けられ得る。示した図面は、例示的に過ぎず、第１のプレーン（１０８）が、必ずしも最上位のプレーン（例えば、最上位の拡大縮小レベル（１１２）で見られるもの）である必要はなくて、同様に第２のプレーン（１１０）が、必ずしも最下位のプレーン（例えば、最も下位の拡大縮小レベル（１１２）で見られるもの）である必要がないことを理解されたい。それに加えて、（例えば中間の拡大縮小レベル（１１２）における）別のビュープレーンが間に存在し得、それでもそのようなピラミッド状容量（１１４）によって定義した関係が存在し得る場合、厳密には、第１のプレーン（１０８）及び第２のプレーン（１１０）が、更に直接に連続している必要はない。例えば、１つのビュープレーン内の画素それぞれは、連続した次の下位のビュープレーン内の４つの画素、及び連続した次のビュープレーン内の１６個の画素などと関連し得る。したがって、所与の拡大縮小レベル「ｌ」内のピラミッド状容量に含まれている画素数は、ｐ＝４ｌとして記述され得、ここで「ｌ」はビュープレーンの整数インデックスであって、「ｌ」は０以上である。表示装置が、画像（１０６）に対する残りを包括する別のコンテンツを用いて相対的にわずかな画素数を割り当てたとき、又は表示装置若しくは見ることができる領域に有効な物理画素の限界が達したときのように、「ｐ」が場合によっては、表示装置（又はコンテンツスキーマコンポーネント）によって画像（１０６）（又はそのレイヤ）に割り当てられる画素数よりも大きい場合があることを理解されたい。これらの場合又はその他の場合、「ｐ」が切り捨てられ得るか又は「ｐ」によって記述した画素が、現在の拡大縮小レベル（１１２）において画像（１０６）をパニングすることによって見ることができるようになる。
【００２０】
具体的な例示を提供するために、第１のプレーン（１０８）が、最上位ビュープレーン（例えば、ｌ＝０）として考えられ得、第２のプレーン（１１０）が、連続した次の拡大縮小レベル（１１２）（例えば、ｌ＝１）として考えられる間、別のビュープレーンが第２のプレーン（１１０）の下に存在し得ても、そのすべてがピラミッド状容量（１１４）によって関連付けられ得ることを十分理解しよう。かくして、第１のプレーン（１０８）に所与の要素が与えられた場合、例えば、画素（１１６）がピラミッド型投影を介し第２のプレーン（１１０）内の画素（１１８１〜１１８４）と関連し得る。ピラミッド状容量（１１４）に含まれている画素間の関係は、画素（１１８１〜１１８４）に関連したコンテンツが、画素（１１６）及び／又は関連しているコンテンツに依存し得、逆もまた同様である。第１のプレーン（１０８）内の画素それぞれが、第２のプレーン（１１０）内の固有の４つの画素に関連付けられていて、独立した固有のピラミッド状容量が、第１のプレーン（１０８）内の画素それぞれに対し存在し得ることを理解されたい。プレーン（１０８）、（１１０）のすべて又は一部が、例えば、静的な物理画素数を有する物理表示装置によって表示され得、例えば、物理表示装置の画素数が、プレーン（１０８）、（１１０）及び／又は画像（１０６）を表示する表示領域を提供する。かくして、１つ以上のビュープレーンに割り当てられる物理画素は、拡大縮小レベル（１１２）の変更とともに変化しないが、（例えば、データ構造（１０２）又は画像データ（１０４）に含まれているデータの）論理的又は構造的な意味で、より下位の連続した拡大縮小レベル（１１２）それぞれは、以下、図２に関連した前のビュープレーンの４倍の画素を有するビュープレーンを含み得、更に詳細化されている。
【００２１】
システム（１００）は、画素（１１６）に関連する販売用広告権（１２２）を提供し得る広告コンポーネント（１２０）も含み得る。広告権（１２２）が、見込み客に達するための手段として、例えば、ウェブベースの広告を慣習的に使用するような広告主に提供され得る。広告権（１２２）は、画素（１１６）の購入又は画素（１１６）の賃貸（例えば、時間ベースの所有権又は権利）に関連付けられるか又はそれを含み得、そのどちらか一方が、適切な別の広告主のような第三者に対する画素の販売又は賃貸を含み得る。より具体的には、広告権（１２２）は、画素（１１６）による表示色、又は画素（１１６）の別のＲＧＢ特性、画素（１１６）に関連したハイパーリンク、画素（１１６）と関連した注釈、画素（１１６）に関連したメタデータに対する権利など、を含み得る。
【００２２】
態様に従った画素（１１６）に関連した広告権（１２２）は、画素（１１８１〜１１８４）及びピラミッド状容量（１１４）に含まれている、より下位の拡大縮小レベル（１１２）の画素のような別の画素に対し実質的に同様の権利を含み得る。例えば、画素（１１６）に対する広告権（１２２）を購入する広告主は、ピラミッド状容量（１１４）に含まれている別の画素に対する権利のすべて、権利のサブセット、又は異なる権利のセットも取得し得る。
【００２３】
本発明の別の態様において、広告主は、例えば、１つ又は複数のビュープレーン内に複数画素を含む広告スペースに対する広告権（１２２）を購入し得る。厳密には必須でないが、複数の画素及び／又は広告スペースは、一般に、ピラミッド状容量（１１４）内の１つ又はいくつかのビュープレーン内の連続したブロックであり得る。認め得るほどに１つの拡大縮小レベル（１１２）における連続した画素ブロックは、従来の広告スペース利用と比べ毅然として細部を見ることができる大量の情報を含み得るが、より上位の拡大縮小レベル（１１２）においては単一の画素としても表示され得る。少なくとも１つ以上の画素ブロックに含まれている画素のＲＧＢ特性が時間とともに変化する広告コンポーネント（１２０）が、隣接した画素ブロックを含む広告スペースの販売も促進し得ることを理解されたい。従って、広告スペースは映像コンテンツを含み得る。これら及びその他の特徴が、図２を参照し更に説明され得る。
【００２４】
ここで図２を見ると、画像データ（１０４）及び／又はデータ構造（１０２）の概念的理解を容易にするための画像例（１０６）が例示されている。この例において、画像（１０６）は４つのビュープレーンを含んでいて、プレーンそれぞれがピラミッド状容量（１１４）に存在する画素によって表現されている。単純化のためにビュープレーンそれぞれは、ピラミッド状容量（１１４）に含まれている画素だけを含んでいるが、別の画素もビュープレーンのいくつか又はすべてに存在し得、そのようなものを明示的に表していないが十分に理解されたい。例えば、最上位のビュープレーンは、画素（１１６）を含むが、別の画素も同様に存在し得ることが容易に明らかである。同様に、明示的に表されていないが、連続したレイヤであって、画素（１１６）よりもずっと下位の拡大縮小レベル（１１２）において潜在的に存在するように意図されているプレーン（２０２１〜２０２３）も、別の画素を含み得る。
【００２５】
一般に、プレーン（２０２１〜２０２３）は、適した広告権（１２２）を購入する広告主に対する広告スペースを表し得る。この場合、広告主は「ＡＡＡ  ｗｉｄｇｅｔｓ」であって、おなじみの会社商標、ロゴ（２０４１）を有する追加スペースを満たしている。拡大縮小レベル（１１２）が、より下位のプレーン（２０２２）になると、広告スペース内に表示されるものが、広告権（１２２）に従って別のデータによって置換され得、異なる画像（１０６）のレイヤ、この場合、ロゴ（２０４２）が、表示され得る。本発明の態様において、１つのプレーンは、異なるスケールで別のプレーンのすべて又は一部を表示し得、プレーン（２０２２）、（２０２１）それぞれが例示されている。具体的には、プレーン（２０２２）が、プレーン（２０２１）の約４倍の画素数を含んでいるが、それでも関連したロゴ（２０４２）は、更なるどんな細部も提供しない単に拡大されたバージョンのロゴ（２０４１）である必要はなく、「ｃｈｕｃｋｙ」レンダリングになり得るが、むしろ詳細レベルの増加結果を伴った異なるスケールで表示され得るか、及び／又はより多くの固有画像データ（１０４）が更なる画素と関連付けられる。
【００２６】
追加又は代替として、より下位のビュープレーンが、より上位のビュープレーンと図的にも視覚的にも関係のない広告コンテンツを（逆もまた同様に）表示し得る。例えば、プレーン（２０２２）及び（２０２３）によって、それぞれ記述されているようなコンテンツが、ロゴ（２０４２）から例えば参照数字（２０６１〜２０６４）によって記述されるコンテンツに変化し得る。結果として、この場合、次の拡大縮小レベル（１１２）が、ＡＡＡ製品会社に関連した製品カタログを提供し、参照番号（２０６２）によって示される領域にも競合「ＸＹＺ製品」に関する広告コンテンツを提供する。別のコンテンツが、参照番号（２０６３〜２０６４）によって示される領域内にも提供され得る。本発明の態様によるビュープレーンは、前のビュープレーンに含まれている広告コンテンツを有しない広告主及び／又は前のビュープレーン内の画素に関連した広告権（１２２）を有しない広告主が提供する広告コンテンツ表示し得ることを理解されたい。そのようなものは、参照番号（２０６２）によって例示されていて、会社が、より上位のビュープレーンにおいて同様の権利を有していなくても、ＸＹＺ  Ｗｉｄｇｅｔｓは、広告権（１２２）を取得している。そのような権利が、広告スペースのホストからの直接的手段か、広告主（例えば、ＡＡＡ  Ｗｉｄｇｅｔｓ）からの間接的又は別の適切な手段によるか、どちらか一方によって広告コンポーネント（１２０）から取得され得、図３を参照して更に説明されている。
【００２７】
更なる説明を介し以下の総体的な例を考えられたい。画素（１１６）がユーザーインタフェース装置に出力され、その結果、ユーザーには、おそらく広告スペースに割り当てられて見ることができるコンテンツの一部のものが見える。ユーザーが、画素（１１６）を拡大縮小（例えば拡大縮小レベル（１１２）を変更）するとき、更なるビュープレーンが連続的に内挿され、解決され、増大した細部レベルを表示し得る。最終的にユーザーは、プレーン（２０２１）及び異なるスケールにおいて、より詳細を示すプレーン（２０２２）のような別のプレーンへ拡大縮小する。しかしながら、連続したプレーンは、視覚的な内挿だけを必要とするのではなくて、その代わり、視覚的にも図的にも関係のないプレーン（２０２３）のようなコンテンツを含み得る。プレーン（２０２３）へ拡大縮小したとき、ユーザーは、場合によって個々の製品などに関して、より下位の拡大縮小レベルに達するように製品カタログの中を拡大縮小し、表示されるコンテンツを詳細に調べ得る。
【００２８】
追加又は代替として、ロゴ（２０４１）、（２０４２）は、多くのオブジェクト、例えば、より上位の拡大縮小レベル（１１２）において認識できない１つ以上の製品カタログに含まれている製品画像の合成、であり得るが、より下位の拡大縮小レベル（１１２）へナビゲートしたとき、それが（２０６１）において特集されている製品カタログ、及び可能性として（２０６２）に含まれているＸＹＺ製品に関する製品カタログの中に向かって現実的で自然な滑らかな移行を提供し得るようになることを理解されたい。それに従って最上位のビュープレーン、例えば、画素（１１６）を含むビュープレーンが、広告コンテンツとして現れる必要はないが、むしろ、例えば風景又は肖像画のように美的で目立つ技術品として、又は製品に関連する工業装置のビューのような特定領域に関連し得る抽象的でないものとして出現し得る。当然、別の無数の例が存在し得るが、画素（１１６）が、例えば、風景中の花の茎に存在し得るか又は工業装置上に表される製品に存在し得、画素（１１６）（又は相対的に近傍のそれらの画素）を拡大縮小したとき、ロゴ（２０４１）が認識可能になり得ることが容易に明らかである。
【００２９】
ここで図３を参照すると、画素に対する広告権に関連し、スペース容量に関連した複数の広告モデルを促進し得るシステム（３００）が提供されている。一般に、システム（３００）は、図１に示したシステム（１００）の更なる機能を例示するように意図されていて、例えば広告主（３０２）に画素（１１６）に関連する販売用広告権（１２２）を提供し得る広告コンポーネント（１２０）を含み得、画素（１１６）が、前述したような実質的に適切なデータ構造（１０２）の画像データ（１０４）によって記述され得る。更に、システム（３００）（及びシステム（１００））は更に、通常の拡大縮小レベル及び／又は通常のビュープレーンにおける隣接した画素値に基づいて、画素（１１６）の画素値（３０６）を決定し得る区分化コンポーネント（３０４）を含み得る。
【００３０】
画素値（３０６）は、カテゴリー値及び価格値に関連し得る。例えば、図２のロゴ（２０４１）（又はプレーン（２０２１））を含む画素が、コンテンツに基づくか、又は業種若しくはいくつかのスキーマ若しくは例えば「ｍａｎｕｆａｃｔｕｒｅｒｓ＞  ｉｎｄｕｓｔｒｉａｌ＞  ｐａｒｔｓ＞ｗｉｄｇｅｔｓ」のような階層に従った広告領域に基づいて分類され得る。したがって、区分化コンポーネント（３０４）は、画素、広告スペース、広告コンテンツ、及び／又は画素値（３０６）に記録され得るスキーマに基づいてビュープレーンを分類し得る。別の態様において、画素値（３０６）は、従来の広告スペースの実領域又は概念の態様といくらか類似した価格設定値を含み得る。例えば、頻繁に取引される画素又は高度の視認性を有する別の画素に対し相対的に近傍の画素は、そのような近傍にない画素よりも高く評価され得る。認め得るほどに区分化コンポーネント（３０４）は、従来のページ・ランク計算と同様の手順又は動作を使用し得、例えば近傍の画素が、１つのページから別のページへのハイパーリンクの代わりに使用され得る。更に、区分化コンポーネント（３０４）が、付随したビュープレーン若しくは拡大縮小レベル（１１２）に基づいた重み又は画像（１０６）に割り当てられる表示領域サイズに基づいた重みを画素値（３０６）に加え得る。それ故、より下位の拡大縮小レベル（１１２）における画素又はめったにアクセスされないレベルの画素は、より小さな広告に対して完全な長々とした広告に含まれ得る画素であり得るものとして価格付けられ得る。
【００３１】
例示のために、少しの間、図２に戻って参照し、広告公開を所望している広告主、「Ｈｉｇｈ−ｔｅｃｈ  Ｗｉｄｇｅｔｓ」を考えられたい。画素（１１６）に対する広告権（１２２）は、ＡＡＡ  Ｗｉｄｇｅｔｓによって既に取得されているが、ＸＹＺが表面上、より上位のビュープレーンにおける画素を利用可能な（例えば画素値（３０６））よりも、潜在的にもっと適度な価格の領域（２０６２）を済ませるために、Ｈｉｇｈ−ｔｅｃｈは、領域（２０６３）又は（２０６４）に含まれている画素を選択し得る。更に、広告権（１２２）に従って、より上位のレベルにおいてピラミッド状容量（１１４）に含まれている画素のいくつかが、Ｈｉｇｈ−ｔｅｃｈに利用可能であり得る。例えば、ロゴ（２０４１）及び（２０４２）それぞれが存在しないプレーン（２０２１）及び（２０２２）の空白部分を考えられたい。これらの部分の画素が例えば、区分化コンポーネント（３０４）によって「空」又は「未開発」としてマークされ得、空フラグが画素値（３０６）又はその判定に含まれ得る。そのような画素に対する広告権（１２２）が、ＡＡＡに属するように思われるが、ＡＡＡは、ロゴ（２０４１）、（２０４２）それぞれを含む画素に対する権利だけを取得している可能性がある。しかしながら、いずれにしてもそのような画素は、Ｈｉｇｈ−ｔｅｃｈに非常に望まれ得、可能性として、状況に従ってホスト又はＡＡＡのどちらか一方と直接にそれらの画素に対する交渉又は入札をし得る。かくして、ＡＡＡは、考えられる限りでは、有益な広告スペースをＨｉｇｈ−ｔｅｃｈに提供することによって、それ自体の広告に予算助成金を出す支援となり得る。更に、Ｈｉｇｈ−ｔｅｃｈが、より下位の拡大縮小レベル（１１２）において、ＡＡＡとＸＹＺ（例えば、領域２０６１、２０６２）との間に存在する画素に対する広告権（１２２）も探し求め得ることを理解されたい。どんな場合でも区分化コンポーネント（３０４）が、別のコンポーネント、ホスト、及び／又は広告主（３０２）に送信されて様々な広告モデルと関連し利用され得る、これらの画素値（３０６）を決定又は推論し得る。
【００３２】
例えば、広告コンポーネント（１２０）は、広告権（１２２）の販売提供に関連する画素値（３０６）を使用し得る。更に、広告コンポーネント（１２０）は、画素ごとのコストモデル（３０８）、注目ごとのコストモデル（３１０）、クリックごとのコスト（３１２）モデル又はその他の適切なモデルのうち、少なくとも１つに基づいて広告権（１２２）の価格を確立し得る。画素ごとのコストモデル（３０８）は、画素値（３０６）に含まれている価格設定に基づき得る。同様に、クリックごとのコストモデル（３１２）は、周知のクリックスルー機構又はスキームに基づき得るが、注目ごとのコストモデル（３１０）は、目／虹彩追跡、広告又は画素が表示される総時間などを含むがこれらに限定しない周知の測定基準に基づき得る。
【００３３】
更に、システム（３００）は、画像データ（１０４）を構築可能な構成コンポーネント（３１４）を含み得る。例えば、データ構造（１０２）が、ビュープレーンそれぞれに含まれている様々な画素に割り当てられる広告権（１２２）に基づいた画像データ（１０４）を用いて投入され得る。従って、画像（１０６）が、例えばコンテンツ又はウェブブラウザーを介し、ユーザー（３１６）に見られ得る。ユーザー（３１６）は、例えば、ウェブユーザー、コンテンツを広告する消費者、及び／又は画像（１０６）に視覚的に触れる個人若しくは実体であり得る。それ故、本発明の態様において、図４に関連し示したように画像（１０６）は、ウェブページ上で実質的に見ることができるコンテンツすべてを包含し得、最上位のビュープレーンにおいて初期化され得る。追加又は代替として、画像（１０６）は、ウェブページに実在し得る広告であり得、その例が図５を参照して見出され得る。
【００３４】
更に、構成コンポーネント（３１４）は、文脈入力（３１８）に基づいて画像データ（１０４）を動的に構築し得る。文脈入力（３１８）は、ユーザー（３１６）によって提供され得、例えば、検索文字列又はキーワード、メタデータ、ユーザー（３１６）に関連した（例えば、ユーザー層、取引履歴、嗜好．．．）のようなプロファイルなど、その他の文脈情報に基づき得る。認め得るほどに構成コンポーネント（３１４）は、検索文字列（又はその他の文脈情報）が「Ｗｉｄｇｅｔｓ」と対照的な「ｃａｒｓ」であるとき、全く異なる画像データ（１０４）をデータ構造（１０２）に投入し得る。同様に検索結果に基づいた文脈入力（３１８）もあり得る。したがって、構成コンポーネント（３１４）が、画像（１０６）をすぐさま動的に構築し得る場合、画像（１０６）によって完全に増大又は置換されて文脈情報に関連する従来の広告ベースの画像形式は、どの文脈情報が利用されるか、又は取得されるか、又は必要なコンテンツがどのように選択されるか、可能性として劇的に変更する必要性がない。
【００３５】
上記に従って本発明が、現在のウェブベース又は計算機ベースの広告及び／又は市場動向から打ち出されていることが容易に明らかであろう。例えば、現在の動向は、現在のウェブサイト又は現在の表示コンテンツセットからユーザーへ向け直すか又は更なるデータセット又は細部を見るために、別のアプリケーション若しくはブラウザーインスタンスを起動するように案内される概念によって示される。
【００３６】
図４を参照すると、画像（１０６）が、ウェブページ上に見ることができるコンテンツすべてを実質的に包含する場合を例示しているコンテンツの表示例（４００）が提供されている。コンテンツの表示（４００）が、例えば、画像（１０６）が視覚的コンテンツすべてを実質的に見ることができる領域に構築するウェブブラウザーを介し促進され得る。それ故、特定のウェブアドレス（例えば、一定のリソースロケーター／識別子）例えば、「ｈｔｔｐ：／／ｗｗｗ．ｂｉｌｌｉｏｎｄｏｌｌａｒｗｅｂｐａｇｅ．ｃｏｍ」に配置されている「Ｂｉｌｌｉｏｎ  Ｄｏｌｌａｒ  Ｗｅｂｐａｇｅ」へナビゲートしたとき最上位ビュープレーン（４０２）が最初に表示され得る。ビュープレーン（４０２）に含まれているものは画素マトリクス（１１６）であり得、画素ブロック（１１６Ａ）を含むそのいくつかが任意にラベル付けされている。上記、詳述したように、広告権（１２２）は、画素（１１６）それぞれに対し販売用に提供され得、更に、より下位の拡大縮小レベル（１１２）に投影される画素（１１６）それぞれが、ピラミッド状容量に関連付けられ得る。したがって、ユーザーは、最上位のビュープレーン（４０２）だけでなく、より下位に関連する任意のビュープレーンにもナビゲートするために、現実的なパニング及び拡大縮小を使用し得、そのすべてが、相対的に大きな表示面を用いて観測され得る。
【００３７】
少しの間、図５を見ると、画像（１０６）をウェブページの一部として例示しているコンテンツの表示例（５００）が示されている。例えば画像（１０６）は、ウェブページ上に現存している例えば、バナー広告のような広告又は検索結果に関する文脈広告のような広告として含まれ得る。一例として、ユーザー（３１６）は、検索エンジンを提供するサイト又はウェブページへブラウザーをナビゲートし得る。通例、ユーザー（３１６）は、検索文字列、この場合、「ｗｉｄｇｅｔｓ」のような語句を入力可能であって、その後、検索結果を用いて提示され得る。更に、検索結果は、バナー広告若しくは文脈広告のサイドパネルの１つ又は双方を含んでいるのが通常である。そのような広告スペースに含まれている従来の画像又はテキストベース広告が、本明細書に詳述したような画像（１０６）によって置換され得る。具体的には、画像例（１０６ａ）が、従来のバナー広告に置換し得、画像例（１０６ｂ）及び（１０６ｃ）が、アンカーテキスト及び／又はテキストベースのハイパーリンク並びにグラフィックスベース広告に置換し得る。図４及び図５は単に、例示的であるように意図されていて、別の態様、実施形態、及び／又は機能が提供され得ることが容易に理解されるように添付請求項の範囲を、必ずしも示して説明したものだけに限定する必要はない。
【００３８】
ここで図６を見ると、様々な推論を用いて支援し得るシステム（６００）が示されている。一般に、システム（６００）は、例えば、画素（１１６）と関連した（及び関連し販売用に提示される）広告権（１２２）及びピラミッド状容量（１１４）に含まれている画素を知的に決定し得る広告コンポーネント（１２０）を含み得る。そのようなものは、例えば広告主（３０２）との交渉に基づくか又はデフォルトの構成若しくはポリシーに基づいて決定され得ると同時に、例えば、広告権（１２２）に関連する決定又は推論は、例えば、特定の広告主（３０２）との以前の取引、現在の市場状況、顧客満足度、製品、又は広告ドメインなどにも基づいて動的に設定又は適応され得る。
【００３９】
システム（６００）は、画素値（３０６）を知的に決定又は推論し得る区分化コンポーネント（３０４）も含み得る。例えば、様々な計算機学習技法が使用され得、画素値（３０６）へのアプローチが、例えば、可能性として異なる製品／広告ドメインに渡って異なる履歴データセットの間の比較に基づいて、時間とともに適合又は展開され得る。同様に、システム（６００）は更に、例えば、適切な広告コンテンツを選択し、１つ以上のビュープレーン内にコンテンツを構成することによる文脈入力（３１８）に基づいて、画像データ（１０４）を実時間で知的に構築し得る構成コンポーネント（３１４）を含み得る。
【００４０】
更に、システム（６００）は、様々な推論若しくは決定を提供又は支援し得る知的コンポーネント（６０２）も含み得る。知的コンポーネント（６０２）が、前述したコンポーネントのすべて又はいくつかと作動可能に結合され得ることを理解されよう。追加又は代替として、知的コンポーネント（６０２）のすべて又は一部が、１つ以上のコンポーネント（１２０）、（３０４）、（３１４）に含まれ得る。更に、知的コンポーネント（６０２）は、通常、本明細書に記載したデータストア（６０４）のようなデータセットのすべて又は一部に対するアクセスを有していて、既に決定又は推論したデータを更に利用し得る。データストア（６０４）は、画像データ（１０４）に関連した１つ以上のデータ構造（１０２）並びに本明細書に記載した又はさもなければ別の適切な多くのデータセット若しくは情報を含み得、集中して配置され得るか又は可能性として複数の装置及び／又はスキーマを介し、分散され得る。
【００４１】
それに従って本明細書に記載した多くの推論を提供するか又はその際支援するための知的コンポーネント（６０２）は、利用可能なデータすべて又はサブセットを調査可能であって、イベント及び／又はデータを介しキャプチャした観測セットなどからシステム、環境、及び／又はユーザーのステータスに関する理由付けを提供するか又は推論し得る。推論は、例えば特定の文脈又は動作を特定するために使用され得るか又は状態上の確率分布を生成し得る。推論は、確率的−すなわちデータ及び事象の考慮に基づいた対象となる状態に渡る確率分布計算−であり得る。推論は、より高い水準の事象を事象及び／又はデータセットから構成するように使用される技法も参照し得る。
【００４２】
そのような推論は、事象が一時的に近傍にあるものと相互に関連するか否かに関係なく、事象及びデータが１つ又はいくつかの事象及びデータソースから着信するか否かに関係なく、観測された事象及び／又はストアされた事象のデータセットから新しい事象又は動作の構築をもたらし得る。様々な分類（明示的及び／又は暗黙的に訓練された）計画及び／又は（例えばベクトルマシン、ニューラルネットワーク、エキスパートシステム、ベイズ信念ネットワーク、ファジー理論、データ融合エンジン．．．を支援する）システムが、本発明に関連する自動化された動作及び／又は推論された動作に関して使用され得る。
【００４３】
分類器は、入力属性ベクトルｘ＝（ｘｌ、ｘ２、ｘ３、ｘ４、ｘｎ）を信用度にマッピングする関数であり得、入力は、ｆ（ｘ）＝ｃｏｎｆｉｄｅｎｃｅ（ｃｌａｓｓ）というクラスに属している。そのような分類は、ユーザーが自動実行されることを所望する動作を予知又は推論するために、（例えばユーティリティ解析及びコスト解析へファクタリングする）確率的及び／又は統計ベース解析を使用し得る。サポートベクターマシン（ＳＶＭ）は、使用され得る分類器の例である。ＳＶＭは、入力可能空間における超曲面を見出すことによって作動し、超曲面は、起動していない事象から起動評価基準を分離することを試みる。直観的には、これはトレーニングデータと同一でないが、周辺にある検査データに対する分類補正を実行する。有向モデル及び無向モデルの別の分類アプローチは、例えばナイーブベイズ、ベイジアンネットワーク、意思決定ツリー、ニューラルネットワーク、ファジー理論モデルを含んでいて、独立した異なるパターンを提供する確率的分類モデルが使用され得る。本明細書に使用されている分類は、嗜好モデルを開発するために利用される統計回帰も含む。
【００４４】
ここで図７を見ると、画像データ（１０４）に基づいた画像（１０６）表示を増進又は促進し得るシステム例（７００）が示されている。通常、システム（７００）は、適切な任意の画像データ（１０４）との途切れのない及び／又は現実的なパニング又は拡大縮小の相互作用を可能にし得る表示エンジン（７０２）を含んでいて、そのようなデータ（１０４）は、多重スケール又はビュープレーン、及びそれと関連した１つ以上の解像度又は詳細レベルを含み得る。言い換えれば、表示エンジン（７０２）は、（例えば、画像拡大、画像縮小のような）拡大縮小及び／又は（例えば、上からのパニング、下からのパニング、右からのパニング、左からのパニングのような）パニングを可能にすることによって、表示データ（１０４）に対する初期のデフォルトビューを操作し得、そのような拡大縮小又はパニングコンテンツは、様々な細部又は解像度の品質を含み得る。表示エンジン（７０２）は、含まれるデータ量又はネットワーク帯域幅にかかわらず視覚的情報を滑らかにブラウズ可能にし得る。更に、表示エンジン（７０２）は、（例えば、携帯機器、セルラー機器、モニター、プラズマテレビなど）適切な任意のディスプレイ又は画面を用いて使用され得る。表示エンジン（７０２）は更に、以下の恩恵又は機能の強化のうち、少なくとも１つを提供し得る。１）ナビゲーション速度は、データ（１０４）に含まれているオブジェクトサイズ又は数から独立し得る。２）性能は、画像（１０６）に割り当てられるスクリーン又はディスプレイ又は領域上の画素に対する帯域幅対比率に依存し得る。３）ビュー間の遷移は滑らかであり得る。４）スケーリングは、任意の解像度の画面又は画像に対し大部分が完全で高速である。
【００４５】
例えば、特定の解像度及び詳細レベルを用いたデフォルトレベルで画像（１０６）が表示され得る。しかし、表示エンジン（７０２）は、画像（１０６）が、様々な解像度の多重スケールで、ビュープレーン、又は（デフォルトのビューと比べ）詳細な拡大縮小レベル及び／又はパニングを可能にする。かくして、ユーザー（３１６）は、例えば、より大きな画素数が特定のコンテンツ領域に充てられ得、画像（１０６）の一部を画像拡大し得る。ウェブサイトを拡大縮小及び／又はパニング可能にすることによって、画像（１０６）は、様々なスケール、ビュープレーン、又は詳細レベルで表示又は調査され得る実際には無限のスペース又は容量を含み得る。言い換えれば、画像（１０６）は、パニング、拡大縮小などから独立して滑らかな遷移を有する解像度を維持すると同時に、より粒度の細かいレベルで表示され得る。更に、より上位のビュープレーンは、画像（１０６）に含まれている情報又はデータの一部を公開し得ないが表示エンジン（７０２）用いて拡大縮小レベルを変更又はパニングし得る。
【００４６】
ブラウジングエンジン（７０４）もシステム（７００）に含まれ得る。ブラウジングエンジン（７０４）は、インターネット、ネットワーク、サーバー、ウェブサイト、ウェブページなどのうち、少なくとも１つと関連しブラウズされる適切な任意のデータに対する途切れのない滑らかなパニング及び／又は拡大縮小を実装するための表示エンジン（７０２）を利用し得る。ブラウジングエンジン（７０４）が、ブラウザーに組み込まれたコンポーネント、（例えば、パッチ、又はファームウェア更新、ソフトウェア、ハードウェアなどを介したレガシーブラウザー）ブラウザーと組み合わせて利用されるコンポーネント、及び／又は適切なその任意の組み合わせのスタンドアロンであり得ることが理解されよう。例えば、ブラウジングエンジン（７０４）は、途切れのないパニング及び／又は拡大縮小などのインターネットブラウズ機能を既存のブラウザーへ組み込み得る。例えば、ブラウジングエンジン（７０４）は、ウェブサイトにおいて途切れのない拡大縮小及び／又はパニングを用いて機能向上したブラウジングを提供するために表示エンジン（７０２）を利用し得、ビューは、様々なスケール又は滑らかな拡大縮小及び／又はパニングによって公開され得る。
【００４７】
システム（７００）は更に、（例えば、画像及び透視点それぞれを表示する）調査され得る三次元（３Ｄ）の仮想環境を生成するために複数の二次元（２Ｄ）コンテンツ（例えば、メディアデータ、画像、映像、写真、メタデータなど）を収集し得るコンテンツ集積実行部（７０６）を含み得る。仮想環境において、完全な三次元環境をユーザーに提供するために、本来のビュー（例えば、画像が提供する純粋なビュー）が、合成ビュー（例えば、三次元モデル上に混成投影されるようなコンテンツ間の内挿）と結合され得る。例えば、コンテンツ集積実行部（７０６）は、多数の場所又はオブジェクトの写真を収集し、そのような写真を類似性に関して解析し、写真それぞれが、どのように次と関連するか示し、再構築される３Ｄスペースにそのような写真を表示し得る。収集されたコンテンツが、様々な場所（例えば、インターネット、ローカルデータ、リモートデータ、サーバー、ネットワーク、無線で、収集されたデータなど）からのものであり得ることが理解されよう。（例えば、ギガバイトのような）大きな収集コンテンツが、例えば、実際にはどんな角度又は視点からの場面も見えるように（例えば数秒で）すばやくアクセスされ得る。別の例において、コンテンツ集積実行部（７０６）は、小さな特徴部又は要素部を拡大し焦点を合わせるように、実質的に同様のコンテンツを識別し、画像を拡大し得る。コンテンツ集積実行部（７０６）は、以下のうち少なくとも１つを提供し得る。１）様々な角度からコンテンツを見るためにシーンをウォークスルー又はフライスルーする。２）（例えば、メガピクセル、ギガピクセルなど）解像度の如何にかかわらず、途切れなくコンテンツの画像を拡大又は縮小する。３）コンテンツが別のコンテンツと関連しキャプチャされていた場所を検索する。４）現在、見ることができるコンテンツと同様のコンテンツを検索する。５）コンテンツの集まり又は特定のビューを（例えば、ユーザー、マシン、装置、コンポーネントのような）エンティティと通信させる。
【００４８】
図８、９、及び１０は、本発明に従った様々な方法論を例示している。説明の単純化のために方法論は、一連の動作として示され記述されているが、本発明が、本明細書にいくつかの動作が示され記載されているものと別の動作を用いて、異なる順番及び／又は同時に起こり得るような動作の順番で制限されることが理解され、十分に評価されよう。例えば、当業者は、状態ダイヤグラムのような相関する一連の状態又は事象として方法論が、代替として表され得ることを理解し、十分に評価されよう。更に、例示した動作すべてが、本発明に従う方法論を実装するために必要とされ得るわけではない。追加として、本明細書の以下に開示したこの仕様中の方法論が更に、そのような方法論を計算機に輸送し送信することを容易にするための製品にストアされ得ることを理解されたい。本明細書に使用したような製品用語が、任意の計算機可読装置、搬送波、又は媒体からもアクセス可能な計算機プログラム包含するように意図されている。
【００４９】
ここで図８を参照すると、広告モデルに関連するピラミッド状容量広告スペースを使用するための方法（８００）を実装した例示的な計算機が示されている。一般に、参照番号（８０２）において、画像データをストアするためのデータ構造が生成され得る。
画像データ（及びデータ構造）は、関連する画像が多重スケールであり得、及び／又は様々な詳細レベルでビューを表し得るという点で従来の画像データと実質的に異なり得る。
【００５０】
参照番号（８０４）において、画像データがデータ構造にストアされ得る。より詳細に述べると、ストアされた画像データは、少なくとも２つの実質的に並行なビュープレーンを用いて計算機表示可能な画像を定義し得、第１のプレーン及び第２プレーンが、拡大縮小レベルに基づいて二者択一的に表示可能であり得る。更に、第１及び第２のビュープレーンが、ピラミッド状容量の最上位ビュープレーンの画素を含む画像にピラミッド状容量によって関連付けられ得る。参照番号（８０６）において、画素に関連する広告権が、例えば、広告スペースに興味ある広告主又は別の関係者に対し販売用に提供され得る。
【００５１】
図９を参照すると、画素に関連し広告権を提供するための例示的な方法（９００）が示されている。一般に方法（９００）は、前述した動作（８０６）において販売用広告権を提供する動作に対し、付加的な機能を提供するように意図されている。参照番号（９０２）において、画素の購入、画素の賃貸、第三者に画素を販売又は賃貸する権利、画素のＲＧＢ特性、画素に関連したハイパーリンク、画素に関連した注釈、画素に関連したメタデータのうち、少なくとも１つを含む広告権が販売用に提供され得る。
【００５２】
参照番号（９０４）において、ピラミッド状容量に含まれている画素のすべて又は一部に対する広告権が、販売用に提供され得る。例えば、画素に関連した異なる広告権セットすべて又は一部が、より下位の拡大縮小レベルにおいて画素から画素へのピラミッド型投影によって構築され得る、ピラミッド状容量に含まれている別の画素に拡大され得る。参照番号（９０６）において、より下位の拡大縮小レベルにおいて詳細に見え、より上位の拡大縮小レベルにおいて単一の画素として見ることができる広告コンテンツに対する広告スペースが、販売用に提供され得る。特に、詳細に見ることができるコンテンツは、相対的に多くの画素数が一定のオブジェクト、特性、又は詳細表示に充てられていることを意味し得る。
【００５３】
参照番号（９０８）において、連続した画素ブロックが、映像広告コンテンツ用に使用され得、それに対する権利も販売用に提供され得る。例えば、画素ブロックに含まれている画素が、特定のタイミングに基づいて動的にＲＧＢ特性を変更し得る。参照番号（９１０）において、広告権が、画素ごとのコスト広告モデル、注目ごとのコスト広告モデル、又はクリックスルー広告モデルのうち、少なくとも１つに基づいて販売用に提供され得る。認め得るほどに広告権に関する様々な広告モデルが画素だけではなく、ピラミッド状容量内部の別の画素も含むように拡大され得る。
【００５４】
少しの間、図１０を見ると、ピラミッド状容量に関連する区分化概念及び動的構築を含めるための方法（１０００）が例示されている。参照番号（１００２）において、通常、画素値が、拡大縮小レベルにおける隣接した画素値に基づいて決定され得る。例えば、画素値は、分類（例えば、市場領域、広告スタイル、コンテンツタイプ．．．）の値及び（例えば広告権が取得され得る価格）価格設定に関連し得る。それに従って区分化概念が広告権及び１つ以上の関連広告モデルを適用し得る。
【００５５】
参照番号（１００４）において、画像データが文脈入力に基づいて動的に生成され得、参照番号（１００６）において、画像データが検索文字列に基づいて動的に生成され得、参照番号（１００８）において、画像データが検索結果に基づいて動的に生成され得る。上記の場合それぞれにおいて、画像が、すぐさま組み立てられ得、レベルごとに基本として全体的又は部分的に存在し得る。例えば、最上位レベル又は相対的に少数の上位レベルだけが初めに構成される必要があって、同様に追加のレベル又はレイヤが、拡大縮小レベル及びピラミッド状容量構成に基づいて動的に構成され得る。
【００５６】
ここで図１１を参照すると、開示したアーキテクチャを実行するために作動可能な例示的計算機システムに関するブロック図が例示されている。本発明の様々な態様に関する更なる文脈を提供するために、図１１及び以下の論述は、本発明の様々な態様が実装され得る適切な計算環境（１１００）の簡潔で一般的な説明を提供するように意図されている。更に、前述した発明は、１つ以上の計算機上で実行し得る計算機実行可能命令に関するアプリケーションに一般的な文脈で適合可能であり得るが、当業者は、本発明に関する実施形態も別のプログラムモジュールと組み合わせ及び／又はハードウェアとソフトウェアの組み合わせとして、実装され得ることを認めよう。
【００５７】
一般にプログラムモジュールは、特定のタスクを実行するか又は特定の抽象データタイプを実装しているルーチン、プログラム、コンポーネント、データ構造などを含む。更に当業者は、本発明の方法が、単一プロセッサー又はマルチプロセッサーコンピューターシステム、ミニコンピューター、メインフレームコンピューター、及びパーソナルコンピューター、携帯用計算装置、マイクロプロセッサーベース又はプログラマブル消費家電製品などを含む別の計算機システム構成を用いて実施され得、そのそれぞれが、関連した１つ以上の装置と作動可能に接続され得ることを理解されよう。
【００５８】
例示された本発明に関する態様は、いくつかのタスクが、通信ネットワーク介し接続されているリモートプロセッシング装置によって実行される分散計算環境においても実施され得る。分散計算環境において、プログラムモジュールは、ローカル及びリモート双方のメモリー記憶装置に配置され得る。
【００５９】
計算機は、通常、様々な計算機可読媒体を含む。計算機によってアクセスされ得る利用可能な計算機可読媒体は、任意の媒体であり得、揮発性媒体及び不揮発性媒体、取り外し可能媒体及び取り外し不可能媒体双方を含む。非限定的な例として計算機可読媒体は、計算機記憶媒体及び通信媒体双方を含む。計算機記憶媒体は、計算機可読命令、データ構造、プログラムモジュール、又はその他のデータなど情報記憶に関する任意の方法又は技術で実装される揮発性及び不揮発性、取り外し可能及び取り外し不可能媒体を含み得る。計算機記憶媒体は、ＲＡＭ、ＲＯＭ、ＥＥＰＲＯＭ、フラッシュメモリー、又はその他のメモリー技術、ＣＤ−ＲＯＭ、デジタル多用途ディスク（ＤＶＤ）、又はその他の光ディスク記憶装置、磁気カセット、磁気テープ、磁気ディスク記憶装置、又はその他の磁気記憶装置、又は所望の情報をストアするために使用され得、計算機によってアクセスされ得る別の任意の媒体を含むがこれらに限定しない。
【００６０】
通信媒体は、一般に、搬送波又はその他の移送機構のような変調データ信号で計算機可読命令、データ構造、プログラムモジュール又はその他のデータを具現化したものであって、任意の情報通信媒体を含む。用語「変調データ信号」は、信号内の情報を符号化するような方法で設定又は変更される１つ以上のその特性を有する信号を意味する。非限定的な例として通信媒体は、有線ネットワーク又は直接的な有線接続のようなワイヤード媒体、並びに音響、無線（ＲＦ）、赤外線及びその他の無線媒体のようなワイヤレス媒体を含む。前述の任意の組み合わせも計算機可読媒体の範囲内に含められたい。
【００６１】
再び図１１を参照すると、本発明に関する様々な態様を実装するための例示的な環境（１１００）は、計算機（１１０２）を含んでいて、計算機（１１０２）は、処理ユニット（１１０４）、システムメモリー（１１０６）及びシステムバス（１１０８）を含む。システムバス（１１０８）は、処理ユニット（１１０４）にシステムメモリー（１１０６）を含むがこれに限定しないシステムコンポーネントに接続している。処理ユニット（１１０４）は、様々な商用利用可能な任意のプロセッサーであり得る。デュアルマイクロプロセッサー及び他のマルチプロセッサーアーキテクチャも処理ユニット（１１０４）として使用され得る。
【００６２】
システムバス（１１０８）は、更に、（メモリーコントローラーの有無に関わらず）メモリーバス、周辺機器用バス、及び様々な商用利用可能な任意のバスアーキテクチャを使用しローカルバスと相互接続し得るいくつかのタイプの任意のバス構造であり得る。システムメモリー（１１０６）は、読み出し専用メモリー（ＲＯＭ）（１１１０）及びランダムアクセスメモリー（ＲＡＭ）（１１１２）を含む。基本入力／出力システム（ＢＩＯＳ）は、ＲＯＭ、ＥＰＲＯＭ、ＥＥＰＲＯＭのような不揮発性メモリー（１１１０）にストアされ、ＢＩＯＳは、始動中などに計算機（１１０２）内部のエレメント間に情報の送信支援をする基本ルーチンを含む。ＲＡＭ（１１１２）は、データをキャッシュするためのスタティックＲＡＭのような高速ＲＡＭも含み得る。
【００６３】
計算機（１１０２）は更に、内蔵ハードディスクドライブ（１１１４）が、（示されていない）適切な筐体の中に外付け利用向けにも構成され得る内蔵ハードディスクドライブ（ＨＤＤ）（１１１４）（例えばＥＩＤＥ，ＳＡＴＡ）、（例えば取り外し可能ディスケット（１１１８）から読み出すか又はそれに書き込む）磁気フロッピーディスクドライブ（ＦＤＤ）（１１１６）及び（例えばＣＤ−ＲＯＭディスク（１１２２）から読み出すか又はそれに書き込むＤＶＤのような別の大容量の光媒体から読み出すか又はそれに書き込むための）光ディスクドライブ（１１２０）を含む。ハードディスクドライブ（１１１４）、磁気ディスクドライブ（１１１６）、及び光ディスクドライブ（１１２０）は、ハードディスクドライブインターフェース（１１２４）、磁気ディスクドライブインターフェース（１１２６）、及び光ドライブインターフェース（１１２８）それぞれによって、システムバス（１１０８）に接続され得る。外付けドライブ実装用インターフェース（１１２４）は、ユニバーサルシリアルバス（ＵＳＢ）及びＩＥＥＥ１３９４インターフェース技術のうち、少なくとも１つか又はその双方を含む。別の外付けドライブの接続技術は、本明細書の発明の範囲内にある。
【００６４】
ドライブ及びそれらに関連した計算機記憶媒体は、不揮発性記憶装置のデータ、データ構造、計算機実行可能命令などを提供する。計算機（１１０２）用ドライブ及び媒体は、適切なデジタル形式の任意のデータストレージに適応している。上記計算機可読媒体の説明は、ＨＤＤ、取り外し可能な磁気ディスケット、及びＣＤ又はＤＶＤのような取り外し可能光媒体を参照しているが、ＺＩＰドライブ、磁気カセット、フラッシュメモリーカード、カートリッジその他など、別のタイプの可読媒体も例示的な動作環境において計算機によって使用され得、更に、そのような任意の媒体は、本発明の方法を実装するための計算機実行可能命令を含み得ることが当業者によって十分に理解されよう。
【００６５】
オペレーティングシステム（１１３０）、１つ以上のアプリケーションプログラム（１１３２）、別のプログラムモジュール（１１３４）、及びプログラムデータ（１１３６）を含む多くのプログラムモジュールが、ドライブ及びＲＡＭ（１１１２）にストアされ得る。オペレーティングシステム、アプリケーション、モジュール、及び／又はデータすべて又は一部もＲＡＭ（１１１２）にキャッシュされ得る。本発明が、様々な商用利用可能なオペレーティングシステム又はオペレーティングシステムの組み合わせを用いて実装され得ることを十分に理解され得よう。
【００６６】
ユーザーは、１つ以上の有線／無線入力装置、例えばキーボード（１１３８）及びマウス（１１４０）のようなポインティングデバイスを介し、計算機（１１０２）にコマンド及び情報を入力し得る。（示されていない）その他の入力装置は、マイクロフォン、赤外線リモートコントロール、ジョイスティック、ゲームパッド、スタイラスペン、タッチスクリーンなどを含み得る。これらの入力装置及びその他の入力装置は、多くの場合、システムバス（１１０８）に接続されている入力デバイスインターフェース（１１４２）を介し、処理ユニット（１１０４）に接続されるが、パラレルポート、ＩＥＥＥ１３９４シリアルポート、ゲームポート、ＵＳＢポート、赤外線インターフェースその他のような別のインターフェースによって接続され得る。
【００６７】
モニター（１１４４）又はその他のタイプの表示装置もビデオアダプター（１１４６）のようなインターフェースを介しシステムバス（１１０８）に接続される。計算機は、通常、モニター（１１４４）に加えて、スピーカー、プリンターのような（示されていない）別の周辺出力装置を含む。
【００６８】
計算機（１１０２）は、リモートコンピューター（１１４８）のような１つ以上のリモートコンピューターとの有線通信及び／又は無線通信を介した論理接続を使用し、ネットワーク環境において作動し得る。リモートコンピューター（１１４８）は、ワークステーション、サーバーコンピューター、ルーター、パーソナルコンピューター、携帯用計算機、マイクロプロセッサーベースの娯楽機器、ピア装置、又はその他の一般的なネットワークノードであり得、通常、計算機（１１０２）に関連する前述したエレメントの多くか又はすべてを含むが、簡単化のためにメモリー／ストレージ（１１５０）だけが例示されている。示されている論理接続は、ローカルエリアネットワーク（ＬＡＮ）（１１５２）及び／又は更に大規模なネットワーク、例えば広域ネットワーク（ＷＡＮ）（１１５４）との有線接続／無線接続を含む。そのようなＬＡＮ及びＷＡＮネットワーク環境は、オフィス及び会社において一般的であって、イントラネットのような企業規模計算機ネットワークを容易にし、そのすべてが、グローバル通信ネットワーク、例えばインターネットと接続し得る。
【００６９】
計算機（１１０２）がＬＡＮネットワーク接続環境において使用されるとき、有線及び／又は無線通信ネットワークインターフェース又はアダプター（１１５６）を介しローカルネットワーク（１１５２）に接続される。アダプター（１１５６）は、ＬＡＮ（１１５２）との有線又は無線通信を容易にし得、無線アダプター（１１５６）と通信するために、そこに配置される無線アクセスポイントも含み得る。
【００７０】
計算機（１１０２）は、ＷＡＮネットワーク環境において使用されるとき、モデム（１１５８）を含み得るか又はＷＡＮ（１１５４）上の通信サーバーに接続されるか、又はインターネットなどの方法でＷＡＮ（１１５４）を介した通信を確立するための別の手段を有する。内蔵又は外付けの有線又は無線装置であり得るモデム（１１５８）が、シリアルポートインターフェース（１１４２）を介しシステムバス（１１０８）に接続される。ネットワーク接続環境において、計算機（１１０２）又はその一部に関連し表示されているプログラムモジュールが、リモートメモリー／ストレージ（１１５０）にストアされ得る。示したネットワーク接続は、例示的であって、計算機間の通信リンクを確立するための別の手段が使用され得ることが十分理解されよう。
【００７１】
計算機（１１０２）は、無線通信を用いて作動的可能に配置される任意の無線装置又はエンティティ、例えば、プリンター、スキャナー、デスクトップ、及び／又は携帯用計算機、携帯情報端末、通信衛星、任意の設備部品、又は無線で検出可能なタグに関連付けられた場所（例えばキオスク、新聞売店、トイレ）及び電話と作動可能に通信する。これは、少なくとも無線ＬＡＮ（Ｗｉ−Ｆｉ）及びＢｌｕｅｔｏｏｔｈ（登録商標）無線技術を含む。かくして通信は、少なくとも２つの装置間の従来のネットワーク又は簡易なアドホック通信を用いた所定の構造があり得る。
【００７２】
無線ＬＡＮ又はワイヤレス・フェディリティは、自宅の寝椅子、ホテルルームのベッド、又は職場の会議室からインターネットへの無線接続を可能にする。無線ＬＡＮは、そのような例えば計算機装置が、屋内及び屋外、基地局の範囲内のどこにおいてもデータを送信及び受信可能な携帯電話において使用されるものと同様の無線技術である。無線ＬＡＮネットワークは、セキュアで信頼できる高速無線接続性を提供するためのＩＥＥＥ８０２．１１（ａ，ｂ，ｇなど）と呼ばれる無線通信技術を使用する。無線ＬＡＮネットワークは、計算機相互、インターネット、及び（ＩＥＥＥ８０２．３又はイーサネット（登録商標）を使用する）有線ネットワークを接続するために使用され得る。無線ＬＡＮネットワークは、認可不要の２．４及び５ギガヘルツ無線帯域の例えば１１Ｍｂｐｓ（８０２．１ｌｂ）又は５４Ｍｂｐｓ（８０２．１１ａ）のデータ信号送信速度で作動し、双方の帯域（デュアル帯域）を含む製品を用いたネットワークが、多くのオフィスにおいて使用される基本的な「１０ＢａｓｅＴ」の有線のイーサネット（登録商標）ネットワークと同様の実世界の性能を提供し得る。
【００７３】
ここで図１２を参照すると、開示したアーキテクチャを実行するために作動可能な例示的計算機編集システムの概略ブロック図が示されている。システム（１２００）は、１つ以上のクライアント（１２０２）を含む。クライアント（１２０２）は、ハードウェア及び／又はソフトウェア（例えば、スレッド、プロセス、計算装置）であり得る。クライアント（１２０２）は、本発明を使用することによって、例えば、クッキー（単数又は複数）及び／又は関連する文脈情報を格納する。
【００７４】
システム（１２００）は、１つ以上のサーバー（１２０４）も含む。サーバー（１２０４）は、ハードウェア及び／又はソフトウェア（例えば、スレッド、プロセス、計算装置）でもあり得る。サーバー（１２０４）は、例えば、本発明を使用することによって変換を実行するためのスレッドを格納する。クライアント（１２０２）とサーバー（１２０４）の間の可能な一通信は、２つ以上の計算機プロセスの間に送信されるように構成されたデータパケット形式であり得る。データパケットは、例えばクッキー及び／又は関連する文脈情報を含み得る。システム（１２００）は、クライアント（１２０２）とサーバー（１２０４）間の通信を促進するために使用され得る通信フレームワーク（１２０６）（例えばインターネットのようなグローバル通信ネットワーク）を含む。
【００７５】
通信が、（光ファイバーを含む）有線技術及び／又は無線技術を介し促進され得る。クライアント（１２０２）は、クライアント（１２０２）にローカル情報（例えば、クッキー（単数又は複数）及び／又は関連する文脈情報）をストアするために使用され得る１つ以上のクライアントデータストア（１２０８）と作動可能に接続される。同様にサーバー（１２０４）は、ローカル情報をサーバー（１２０４）にストアするために使用され得る１つ以上のサーバーデータストア（１２１０）と作動可能に接続される。
【００７６】
前述した内容は、様々な実施形態の例を含む。当然のこととして、本実施形態を説明するために考えられ得るあらゆるコンポーネント又は方法論の組み合わせを説明することは不可能であって、当業者は、更に多くの組み合わせ及び順列が有り得ることを認め得よう。したがって、詳細な説明が、添付した請求項の趣旨及び範囲内に収まるような変更、修正及び変形すべてを包含するように意図されている。
【００７７】
具体的には、前述したコンポーネント、装置、回路、システムなどによって実行される様々な機能に関して、そのようなコンポーネントを説明するために使用される（「手段」への参照を含めた）用語は、別の方法が示されていない場合、開示した構造と構造的に同等でなくても、本明細書に例示した実施形態の例示的な態様において、（例えば機能的に同等な）機能を実行するコンポーネントの記載した特定の機能を実行する任意のコンポーネントに相当するように意図されている。この点において、本実施形態が様々な方法動作及び／又は事象を実行するための計算機実行可能命令を有するシステム並びに計算機可読媒体も含むことを認められよう。
【００７８】
更に、特定の機能がいくつかの実装のうち１つだけに関し開示されているが、そのような機能は、所与又は特定のアプリケーションのどれに対しても所望され、好都合であり得る１つ以上の別の実装の別の機能と結合され得る。更に、用語「含む」、「含んでいる」及びその変形が、詳細説明又は請求項のどちらか一方において使用される範囲内において、これらの用語が、用語「構成する」と同様な意味で包括的であるように意図されている。
【符号の説明】
【００７９】
１００    本システム
１０２    データ構造
１０４    画像データ
１０６    多重スケール画像
１０６ａ  画像例
１０６ｂ  画像例
１０６ｃ  画像例
１０８    第１のビュープレーン
１１０    第２のビュープレーン
１１２    拡大縮小レベル
１１４    ピラミッド状容量
１１６    画素
１１６Ａ  画素ブロック
１１８１  画素
１１８２  画素
１１８３  画素
１１８４  画素
１２０    広告コンポーネント
１２２    広告権
２０２１  プレーン
２０２２  プレーン
２０２３  プレーン
２０４１  ロゴ
２０４２  ロゴ
２０６１  コンテンツ
２０６２  コンテンツ
２０６３  コンテンツ
２０６４  コンテンツ
３００    本システム
３０２    広告主
３０４    区分化コンポーネント
３０６    画素値
３０８    画素ごとのコストモデル
３１０    注目ごとのコストモデル
３１２    クリックごとのコストモデル
３１４    構成コンポーネント
３１６    ユーザー
３１８    文脈入力
４００    コンテンツの表示例
４０２    最上位のビュープレーン
５００    コンテンツの表示例
６００    本システム
６０２    知的コンポーネント
６０４    データストア
７００    システム例
７０２    表示エンジン
７０４    ブラウジングエンジン
７０６    コンテンツ集積部
１１００  計算環境
１１０２  計算機
１１０４  処理ユニット
１１０６  システムメモリー
１１０８  システムバス
１１１０  ランダムアクセスメモリー（ＲＡＭ）
１１１２  読み出し専用メモリー（ＲＯＭ）
１１１４  内蔵ハードディスクドライブ（ＨＤＤ）
１１１６  磁気フロッピーディスクドライブ（ＦＤＤ）
１１１８  取り外し可能ディスケット
１１２０  光ディスクドライブ
１１２２  ＣＤ−ＲＯＭディスク
１１２４  ハードディスクドライブインターフェース
１１２６  磁気ディスクドライブインターフェース
１１２８  光ドライブインターフェース
１１３０  オペレーティングシステム
１１３２  アプリケーションプログラム
１１３４  別のプログラムモジュール
１１３６  プログラムデータ
１１３８  キーボード
１１４０  マウス
１１４２  入力デバイスインターフェース
１１４４  モニター
１１４６  ビデオアダプター
１１４８  リモートコンピューター
１１５０  メモリー／ストレージ
１１５２  ローカルエリアネットワーク（ＬＡＮ）
１１５４  広域ネットワーク（ＷＡＮ）
１１５６  有線及び／又は無線通信ネットワークインターフェース又はアダプター
１１５８  モデム
１２００  本システム
１２０２  クライアント
１２０４  サーバー
１２０６  通信フレームワーク
１２０８  クライアントデータストア
１２１０  サーバーデータストア
【図１】
0005571571.tif 000002
【図２】
0005571571.tif 000003
【図３】
0005571571.tif 000004
【図４】
0005571571.tif 000005
【図５】
0005571571.tif 000006
【図６】
0005571571.tif 000007
【図７】
0005571571.tif 000008
【図８】
0005571571.tif 000009
【図９】
0005571571.tif 000010
【図１０】
0005571571.tif 000011
【図１１】
0005571571.tif 000012
【図１２】
0005571571.tif 000013